(57)【要約】【課題】  従来の紐靴は、靴の脱着の際に紐の結び解きを必要とする煩わしさがあり、又、激しい運動などにおいては紐が解けてしまう可能性が有るといった問題点があった。【解決手段】  爪付きストッパ−とボタン一体型の固定解除用スプリングの稼動連結を設けた靴紐固定解除装置において、本体下部に足の甲付近の靴紐を固定する長さ調節可能な靴紐固定帯を設け、本体上部には余分な靴紐を個々のサイズにあわせて切断し、その先端同士に連結具を備えて構成した。これにより、紐のサイズや用途に関わることなく靴紐の締め増しと固定、及び解除が指１本で可能となり、激しい運動などによる靴紐の解けや緩みを防止するとともに、足の甲付近の交差した靴紐の遊びも簡単に固定、及び微調整を可能とした紐靴を提供することができる。【選択図】  図１
2005334603.tif 000002
【特許請求の範囲】
【請求項１】
靴紐を固定する爪付きストッパ−を備えた靴紐固定装置本体と、前記のストッパ−の固定解除用スプリングを設けて構成した、指１本の動作で靴紐の固定と解除を可能とした靴紐固定解除装置。
【請求項２】
請求項１記載の靴紐固定解除装置本体下部に足の甲付近の靴紐を固定する靴紐固定帯と、前記の靴紐固定帯を調節固定できる帯ストッパ−を設けて構成し、靴紐固定解除装置本体の靴に対する装着と同時に、足の甲付近の靴紐も固定可能とした長さ調節可能な靴紐固定帯。
【請求項３】
切断した靴紐の先端同士を連結する連結具。
【発明の詳細な説明】
【技術分野】
【０００１】  本発明は、一般家庭の生活における紐靴脱着の効率化、及び個々の足のサイズに対する靴の高い適合化を図った靴紐固定解除装置に関する。
【背景技術】
【０００２】  従来の靴には紐を結んで履くものとマジックテ−プやベルト等で固定して履くもの（例えば非特許文献１参照。）、また固定部分が無くサイズを合わせて履く物があり、紐靴の特許文献中には簡単な靴紐止めも幾つか発案されてるものもある（例えば特許文献１参照。）。
【特許文献１】    特開平１１−２７６２１０
【非特許文献１】  ｓｔｒｅｅｔ  Ｊａｃｋ  ２００４，ＫＫベストセラ−ズ，２００４年６月号，ｐ．８，ｐ．９
【発明の開示】
【発明が解決しようとする課題】
【０００３】  以上に述べた靴にはそれぞれ利点と欠点が有り。紐靴においてはデザイン性に優れ、個々の足の形状に最も微調整をしやすい反面、靴の脱ぎ履きの際に紐の結び解きを必要とする煩わしさや、激しい運動時に紐が解けてしまう可能性が有り。マジックテ−プ型やベルト型については脱ぎ履きが簡略化され、紐靴の様に固定が外れてしまう可能性が無い反面、個々の足の形状に合わせて微調整を行なうのが紐靴に比べやや劣る点が有る。又、固定部分が無くサイズを合わせて履く靴については、最も靴の脱ぎ履きが簡単な反面、微調整が効かず激しい運動においては脱げてしまう可能性が有った。【０００４】  本発明は、このような従来の構造が有していた問題を解決しようとするものであり、靴紐の太さや靴の用途に関わらず、軽量小型且つ指１本の動作で紐の締め増しと固定、及び解除の実現と、足の甲付近の交差している靴紐の固定を目的とするものである。
【課題を解決するための手段】
【０００５】  そして、本発明は上記目的を達成するために靴紐を片方行にのみ引き出せる爪付きストッパ−を設けた靴紐固定装置本体と、解除ボタンと一体になった固定解除用スプリングを上記の爪付きストッパ−に稼動可能状態で連結し、前記の解除ボタンを押すことで靴紐の固定解除を可能としたものである。【０００６】また第２の解決手段は、靴紐固定解除装置本体の靴に対する装着とともに、足の甲付近の交差した靴紐を固定する靴紐固定帯と、前記の靴紐固定帯の長さを調節、及び固定できる帯ストッパ−を本体下部に設けて構成した、長さ調節可能な靴紐固定帯である。【０００７】  そして第３の解決手段は、靴紐の先端付近を使用者の足のサイズや好みに合わせて切断し、その切断した先を連結具によって固定することで靴紐の締め増し時に指が掛けられるようにしたものである。【０００８】  上記第１の解決手段の作用は次の通りである。つまり爪付きストッパ−によって固定された靴紐を引き出す動作が締め増し固定、すなわち従来の靴紐を結ぶ動作となり。また、固定解除用スプリングと一体の解除ボタンを押す動作が靴紐の固定解除、すなわち従来の靴紐を解く動作とすることができる。【０００９】  そして第２の解決手段による作用は、靴紐固定解除装置の本体下部に長さ調節可能な靴紐固定帯を設けることによって、靴紐を締め増しした際の本体のずり上がりを防止するとともに、足の甲付近の交差した靴紐の遊びを固定し、使用者の足に対する適合性の高い靴を補佐的に提供することができる。また、足の甲付近の靴紐の固定不足や締め過ぎによる痛みを感じた場合は、帯ストッパ−を解除して靴紐固定帯の長さを調節し再度固定するといった簡単な微調整もできる。【００１０】  また、第３の解決手段による作用は、使用者の足のサイズや好みに合わせて余分な靴紐を切断し、その切断した先端同士を連結具によって固定することで、靴紐の締め増しの際は連結具に指を掛け上方向に引き出すといった簡単な動作で靴紐の締め増しができるようになる。
【発明の効果】
【００１１】  上述したように本発明の靴紐固定解除装置は、紐を結んで履く形状の靴であれば靴紐の太さや靴の用途に関わらず装着できるとともに、靴紐が解けたり緩んだりすることが無く、安全で且つ靴の脱ぎ履きの際に腰を降ろし靴紐を結ぶなどの手間を省くことができるので、子供や高齢者の方には特に最適である。【００１２】  また、足の甲付近の靴紐の遊びも簡単に微調整することができるので、使用者の個々の足のサイズに対する適合性も高く、各調整の度合いによってはスポ−ツや運動に置いても補佐的に有効な靴を提供することができる。
【発明を実施するための最良の形態】
【００１３】  以下、本発明の実施の形態を図１〜図１１に基づいて説明する。【００１４】  図においては、９は切断した靴紐部分であり。１は靴紐９を固定する爪付きストッパ−で、１ａは靴紐９の固定爪、１ｂは固定爪１ａの裏側に固着している靴紐９の滑り止めゴムである。また、２は固定解除用スプリングで、その先端フック部である２ａは、爪付きストッパ−１のパイプ状の金具を設けた稼動連結部１ｃに稼動可能状態で連結されている。【００１５】  そして、固定解除用スプリング２は、７の止め具によって３の解除ボタンに固定され一体化しており、解除ボタン３及び固定解除用スプリング２は、上下稼動の許容範囲を設けた４の凹レ−ル部分と６の凸部によって１１の本体に支持されている。【００１６】  ５は靴紐固定帯で、５ａは靴紐固定帯５の折り返し金具、５ｂは靴紐１０を通す輪状部分で、５ｃは折り返し金具５ａを通す輪状部分である。また、１３は靴紐固定帯５を固定する帯ストッパ−である。【００１７】  ８は切断した靴紐９の先端同士を固定する筒状の連結具であり、連結具８の両端にある８ａは靴紐９先端の連結入り口で、内面に靴紐固定用の爪を設け、外面にネジ山を設けてある。８ｂは連結入り口８ａに対する連結ナットで、こちらは内面にネジ山を設けてあり中心に靴紐９を通せる形状になっている。【００１８】  尚、本発明の実施の形態にある図１〜図１１は、誇張して若干大きめに記載してあり、実際の靴や靴紐に対するサイズとは異なる点がある。また、デサイン的にも全体を通して角型では無く丸みを帯びてる方が好ましいと思われる。【００１９】  以下、上記構成の動作を説明する。靴を履く際においては足を靴底へ入れた後で連結具８に指を掛け上方向に引き出す。すると、靴紐９の引き上げられる力が固定爪１ａの傾斜面の作用によって爪付きストッパ−１が解除方向である外側へと押し広げられ、同時に先端フック部２ａと稼動連結部１ｃによって連結している固定解除用スプリング２も外側へ広げられ解除ボタン３が下がる。この時、靴紐固定帯５も足の甲付近の交差した靴紐１０を固定する働きが起きる。【００２０】  紐の締め具合に適度な固定を得られたら連結具８から指を離す。すると、固定解除用スプリング２の固定方向である狭める方向へと反発作用が働き、連結されている爪付きストッパ−１の固定爪１ａ、及び滑り止めゴム１ｂによって靴紐９を固定するとともに解除ボタン３が上がる。結果、指１本の簡単な動作で交差した靴紐１０と靴紐９の確実な固定を可能とすることができる。また、この時に足の甲付近の靴紐１０の固定不足を感じた場合は帯ストッパ−１３をつま先方向へ倒して固定を解除し、折り返し金具５ａをつま先方向へ、逆に締め過ぎによる痛みを感じた場合は輪状部分５ｂを同じくつま先方向へ引き下ろしてから帯ストッパ−１３を足首方向に引き起こして靴紐固定帯５を固定することで微調整完了となる。【００２１】  靴を脱ぐ際においては指で解除ボタン３を押す。すると、固定解除用スプリング２が下方向に下がって先端フック部２ａと稼動連結部１ｃに力が加わり、その力を逃がそうとする作用が回転運動とともに外側へ押し広げる働きとなり、爪付きストッパ−１が解除方向である外側へと広げられ靴紐９の固定解除となる。同時に、靴紐固定帯５も交差した靴紐１０の固定を緩め、結果、指一本の動作で交差した靴紐１０と靴紐９の固定が解除でき円滑に靴を脱ぐことが可能となる。【００２２】  そして、靴紐固定解除装置を紐靴に取り付ける際においては、まず取り付ける靴の靴紐を靴からある程度解く、次に靴底に足を入れ、帯ストッパ−１３をつま先方向に倒して固定を解除し、靴紐固定帯５の輪状部分５ｂを足の甲付近の適所な位置に合わせて引き出した後、靴紐を靴に縫いつけていく。その途中、靴紐１０を輪状部分５ｂに２本とも通してから靴の最上部まで縫いつけ、本体１１の空洞２０へ解除ボタン３を押しながら下から上へと靴紐固定状態まで通す。次に、本体１１の空洞２０上部から出た靴紐９の余分な長さを、固定解除分の余裕を残した上で好みやサイズに合わせて切断し、切断した先を連結ナット８ｂに通してから連結入り口８ａへ差し込む、最後に連結入り口８ａに対し連結ナット８ｂを締めて完成となる。【００２３】  また、靴から靴紐固定解除装置を取り外す際においては、まず連結入り口８ａから連結ナット８ｂを緩めて分解し、解除ボタン３を押しながら靴紐９から本体１１を引き抜く。次に靴から交差した靴紐１０を解いていき、最後に輪状部分５ｂから靴紐１０を抜いて完了となる。【００２４】  以上のように本実施形態によれば靴紐の太さや靴の用途に左右されない互換性を持ちつつも、靴紐の煩わしさが簡略化され、安全且つ確実な靴紐の固定を得られるものである。
【図面の簡単な説明】
【００２５】
【図１】本発明の靴に装着状態とした靴紐固定解除装置の斜視外観図
【図２】同靴紐固定解除装置の実施形態をを示す部分断面図
【図３】同本体の図２における靴紐解除状態のＡ−Ａ線断面図
【図４】同本体の図２における靴紐固定状態のＡ−Ａ線断面図
【図５】同本体の靴紐固定帯と帯ストッパ−の斜視分解図
【図６】同本体の図２における靴紐固定帯と帯ストッパ−のＢ−Ｂ線断面図
【図７】同本体の爪付きストッパ−と先端フック部の斜視分解図
【図８】同爪付きストッパ−と同先端フック部の反対側から見た斜視分解図
【図９】同本体の連結具の実施形態を示す斜視分解図
【図１０】同本体の解除ボタン、及び固定解除用スプリングの裏側から見た分解図
【図１１】同解除ボタン、及び同固定解除用スプリングの側面から見た分解図
【図１２】同本体の図３における止め具の分解図
【図１３】同止め具の側面から見た分解図
【符号の説明】
【００２６】１      爪付きストッパ−
１ａ    固定爪
１ｂ    滑り止めゴム
１ｃ    稼動連結部
２      固定解除用スプリング
２ａ    先端フック部
３      解除ボタン
４      凹レ−ル部分
５      靴紐固定帯
５ａ    折り返し金具
５ｂ    靴紐に対する輪状部分
５ｃ    折り返し金具に対する輪状部分
６      凸部
７      止め具
８      連結具
８ａ    連結入り口
８ｂ    連結ナット
９      靴紐
１０    足の甲付近の交差した靴紐
１１    本体
１３    帯ストッパ−
２０    空洞
【図１】
2005334603.tif 000003
【図２】
2005334603.tif 000004
【図３】
2005334603.tif 000005
【図４】
2005334603.tif 000006
【図５】
2005334603.tif 000007
【図６】
2005334603.tif 000008
【図７】
2005334603.tif 000009
【図８】
2005334603.tif 000010
【図９】
2005334603.tif 000011
【図１０】
2005334603.tif 000012
【図１１】
2005334603.tif 000013
【図１２】
2005334603.tif 000014
【図１３】
2005334603.tif 000015